(57)【要約】  モバイル型又は固定型のユーザ装置１００、及びモバイル型又は固定型の連絡先装置を介して連絡をとる連絡先１０５のリストに関連する属性を視覚化するためのシステム８００、装置７００及び方法６００が提供される。前記属性は、搭載された永続メモリ６０６に保存され、直感的な方法でユーザに対して装置の画面上に提示される。より具体的には、連絡先リスト中の種々の連絡先の、装置のユーザに対する少なくとも位置、及び代替実施例においては方位が、（数あるなかでも）アイコン、アイコンのサイズ及びアイコンの色を利用して、ユーザ装置１００の画面上に視覚的に表示される。
2009517762.tif 000002
【特許請求の範囲】
【請求項１】
ユーザ装置及び前記ユーザ装置の連絡先リストの少なくとも１つの測位属性を含む情報を視覚化するための方法であって、
前記装置の搭載された永続メモリに、前記連絡先リストの各エントリについて及び前記装置についての少なくとも一方の測位属性を有する少なくとも１つの視覚化可能な属性を保持するステップと、
前記保持された少なくとも１つの属性のそれぞれに異なる視覚的な手掛かりを関連付けるステップと、
前記保持された少なくとも１つの視覚化可能な属性の前記関連付けられた手掛かりを、前記装置の画面に前記連絡先リストが表示されるときにはいつでも、前記装置の画面上に視覚化するステップと、
を有する方法。
【請求項２】
前記測位属性は、前記連絡先及び前記装置のＧＰＳ又はＧＳＭセル測位により取得され、
前記視覚的な手掛かりは、アイコン及びアイコンの色、アイコン及びアイコンのサイズ、アイコン及び他のアイコンに対するアイコンの近さ、並びにこれらの任意の組み合わせから成る群から選択される、請求項１に記載の方法。
【請求項３】
前記装置は、携帯電話、ＰＤＡ、ＭＰ３プレイヤ、walkman（登録商標）、ディジタル写真カメラ、ディジタルビデオカメラ及びこれらの任意の組み合わせから成る群から選択された携帯型装置である、請求項１に記載の方法。
【請求項４】
前記装置は、パーソナルコンピュータ、テレビジョン及び固定電話から成る群から選択された固定型装置であり、前記方法は更に、
前記連絡先が固定型装置を介して連絡を受ける場合には、ユーザが前記連絡先リストにおいて前記連絡先の前記固定型装置の位置を手動で設定し、
前記装置が固定型装置である場合には、前記ユーザが前記ユーザの装置の位置を手動で設定するステップを更に有する、請求項１に記載の方法。
【請求項５】
前記少なくとも１つの視覚化可能な属性は、方位、向き、グループのメンバ、移動速度、連絡先リスト中の連絡先からの距離及び行動を有する、請求項１に記載の方法。
【請求項６】
ユーザが前記連絡先リスト中の連絡先と接続されるときはいつでも、前記保持するステップが、
前記連絡先に対する前記ユーザ及び前記ユーザに対する前記連絡先のそれぞれについての方位属性を保持するステップと、
前記ユーザ及び前記連絡先の互いに対する相対速度属性を保持するステップと、
を実行するステップを有する、請求項１に記載の方法。
【請求項７】
前記ユーザについての前記方位属性を電子コンパスを用いて取得するステップを更に有する、請求項６に記載の方法。
【請求項８】
前記装置は、携帯電話、ＰＤＡ、ＭＰ３プレイヤ、walkman（登録商標）、ディジタル写真カメラ、ディジタルビデオカメラ及びこれらの任意の組み合わせから成る群から選択された携帯型装置である、請求項７に記載の方法。
【請求項９】
前記装置は、パーソナルコンピュータ、テレビジョン及び固定電話から成る群から選択された固定型装置であり、前記方法は更に、
前記連絡先が固定型装置を介して連絡を受ける場合には、ユーザが前記連絡先リストにおいて前記連絡先の前記固定型装置の位置を手動で設定するステップと、
前記装置が固定型装置である場合には、前記ユーザが前記ユーザの装置の位置を手動で設定するステップと、
を更に有する、請求項７に記載の方法。
【請求項１０】
前記測位属性は、前記連絡先及び前記装置のＧＰＳ又はＧＳＭセル測位により取得され、
前記視覚的な手掛かりは、アイコン及びアイコンの色、アイコン及びアイコンのサイズ、アイコン及び他のアイコンに対するアイコンの近さ、並びにこれらの任意の組み合わせから成る群から選択される、請求項９に記載の方法。
【請求項１１】
前記方法は、
最新の状態にする動作を実行するステップと、
前記連絡先リストの連絡先に対する接続を開始するステップと、
の一方をユーザが実行することにより開始される、請求項１に記載の方法。
【請求項１２】
ユーザが前記連絡先リスト中の連絡先と接続されるときはいつでも、前記保持するステップが、
前記連絡先に対する前記ユーザ及び前記ユーザに対する前記連絡先のそれぞれについての方位属性を保持するステップと、
前記ユーザ及び前記連絡先の互いに対する相対速度属性を保持するステップと、
を実行するステップを有する、請求項１１に記載の方法。
【請求項１３】
前記ユーザについての前記方位属性を電子コンパスを用いて取得するステップを更に有する、請求項１２に記載の方法。
【請求項１４】
前記装置は、携帯電話、ＰＤＡ、ＭＰ３プレイヤ、walkman（登録商標）、ディジタル写真カメラ、ディジタルビデオカメラ及びこれらの任意の組み合わせから成る群から選択された携帯型装置である、請求項１３に記載の方法。
【請求項１５】
前記装置は、パーソナルコンピュータ、テレビジョン及び固定電話から成る群から選択された固定型装置であり、前記方法は更に、
前記連絡先が固定型装置を介して連絡を受ける場合には、ユーザが前記連絡先リストにおいて前記連絡先の前記固定型装置の位置を手動で設定するステップと、
前記装置が固定型装置である場合には、前記ユーザが前記ユーザの装置の位置を手動で設定するステップと、
を更に有する、請求項１４に記載の方法。
【請求項１６】
前記視覚的な手掛かりは、アイコン及びアイコンの色、アイコン及びアイコンのサイズ、アイコン及び他のアイコンに対するアイコンの近さ、並びにこれらの任意の組み合わせから成る群から選択される、請求項１５に記載の方法。
【請求項１７】
ユーザ装置及び前記ユーザ装置の連絡先リストの少なくとも１つの測位属性の視覚化のための装置であって、
前記連絡先リストのエントリについて及び前記装置についての少なくとも１つの視覚化可能な測位属性を保存する永続メモリと、
前記連絡先及び前記装置の前記属性のそれぞれに異なる視覚的な手掛かりを関連付け、各前記連絡先及び前記装置についての属性及び関連する視覚的な手掛かりを前記永続メモリに保存し、前記連絡先リストが前記装置の画面に表示されるときにはいつでも前記連絡先に関連付けて前記手掛かりを視覚化するプロセッサと、
を有する装置。
【請求項１８】
前記プロセッサは更に、
少なくとも前記連絡先との接続が前記装置により開始されたときに、前記連絡先リストの連絡先及び前記装置の方位を、前記連絡先及び前記装置の属性として計算する、方位計算モジュールと、
少なくとも前記連絡先との接続が前記装置により開始されたときに、前記連絡先リストの連絡先及び前記装置の位置を、前記連絡先及び前記装置の属性として計算する、位置計算モジュールと、
前記連絡先リストの連絡先及び前記装置の方位及び位置以外の属性を計算し、前記計算された属性を搭載された前記永続メモリに保存する、連絡先リスト属性計算モジュールと、
を含むように構成された、請求項１７に記載の装置。
【請求項１９】
前記プロセッサが、前記装置の位置及び方位の変化を反映するために、前記永続メモリに保存された前記連絡先リストの属性データの更新のためのユーザによる最新の情報にする要求を受容する、ユーザデータ入力処理モジュールを含むように更に構成された、請求項１８に記載の装置。
【請求項２０】
前記ユーザ及び前記連絡先の少なくとも一方が固定型装置を持ち、前記ユーザデータ入力処理モジュールは更に、前記固定型装置の位置に関する前記ユーザからの手動入力を受容するように構成された、請求項１９に記載の装置。
【請求項２１】
前記装置は、パーソナルコンピュータ、テレビジョン及び固定電話から成る群から選択された固定型装置である、請求項２０に記載の装置。
【請求項２２】
前記装置は、携帯電話、ＰＤＡ、ＭＰ３プレイヤ、walkman（登録商標）、ディジタル写真カメラ、ディジタルビデオカメラ及びこれらの任意の組み合わせから成る群から選択された携帯型装置である、請求項１９に記載の装置。
【請求項２３】
前記装置は、パーソナルコンピュータ、テレビジョン及び固定電話から成る群から選択された固定型装置である、請求項１９に記載の装置。
【請求項２４】
前記プロセッサは更に、前記連絡先リストが前記画面に表示されるときにはいつでも、前記連絡先リスト中の各エントリについての視覚的な手掛かりを、前記搭載された永続メモリから取得して前記画面に表示する表示生成モジュールを含むように構成された、請求項１９に記載の装置。
【請求項２５】
前記装置についての前記方位データは電子コンパスから取得される、請求項１８に記載の装置。
【請求項２６】
前記測位属性は、前記連絡先及び前記装置のＧＰＳ又はＧＳＭセル測位により取得され、
前記視覚的な手掛かりは、アイコン及びアイコンの色、アイコン及びアイコンのサイズ、アイコン及び他のアイコンに対するアイコンの近さ、並びにこれらの任意の組み合わせから成る群から選択される、請求項１９に記載の装置。
【請求項２７】
ユーザ装置及び前記ユーザ装置の連絡先リストの少なくとも１つの測位属性の視覚化のためのシステムであって、
前記装置の属性及び前記連絡先リストの属性の取得、保持及び保存のための、請求項２２に記載の装置と、
画面及びユーザ入力手段を持つ装置であって、請求項２２に記載の装置を含みインタフェース接続するように構成された携帯型装置及び固定型装置から成る群から選択された装置と、
を有し、前記装置は、前記入力手段を介してユーザ入力を受容し、前記デバイスの画面に少なくとも前記１つの位置属性を視覚化するシステム。
【請求項２８】
前記携帯型装置は、携帯電話、ＰＤＡ、ＭＰ３プレイヤ、Walkman（登録商標）、ディジタル写真カメラ、ディジタルビデオカメラ及びこれらの任意の組み合わせから成る群から選択され、
前記固定型装置は、パーソナルコンピュータ、テレビジョン及び固定電話から成る群から選択され、
前記連絡先が固定型装置を介して連絡を受ける場合には、前記ユーザ入力手段は更に、前記連絡先リストについて、前記連絡先の前記固定型装置の位置の手動での設定を受容するように構成され、
前記ユーザ装置が固定型装置である場合には、前記ユーザ入力手段は更に、前記ユーザの装置の位置の手動での設定を受容するように構成された、請求項２７に記載のシステム。
【発明の詳細な説明】
【技術分野】
【０００１】
本発明は、モバイル型ユーザ装置及び該装置に保存された連絡先のリストに関連する視覚化可能な属性を、直感的な態様で提示するシステム、装置及び方法を提供する。更に詳細には、前記装置のユーザに対する、連絡先リスト中の種々の連絡先の少なくとも位置及び代替の実施例においては方向が、視覚的に表現される。
【背景技術】
【０００２】
モバイル電話及びＰＤＡ（personal digital assistant）のような個人向け電子装置を、人々はますます所有し携帯するようになっている。これら電子装置はますます、ＧＳＭセル定位（又は三角測量）又はＧＰＳのような測位手段を持つようになっている。
【０００３】
この測位情報は、通信している相手の人物がどこに位置しているかを他方の人物／装置に伝えるためには利用されないが、殆ど全ての携帯電話の通話において、２人のユーザの現在の位置は議論される。
【０００４】
更に、全てのこれらの個人向け装置は、何らかの種類の連絡先リスト（又は仲間リスト）機能を提供し、幾つかはサブグループ及び更に高度な連絡先管理機能さえも提供する。例えば、MSN Messenger（登録商標）は、どのように或る人物に到達できるか（例えば、どの通信チャネルが利用可能か）を示す。
【発明の開示】
【発明が解決しようとする課題】
【０００５】
連絡先リスト中の人物に関する位置情報を提供することは有益であるが、多くのモバイル装置の利用可能な機能とは未だなっていない。
【課題を解決するための手段】
【０００６】
本発明のシステム８００、装置７００及び方法６００は、少なくともユーザのモバイル装置及び該装置の連絡先リストの人物の最新の決定された位置を、該連絡先リストによってアドレス指定された装置が測位手段を持つ場合にはいつでも、控えめで且つ直感的な態様で提供する。前記位置は、連絡先リスト中の人物の個人向け装置の、ユーザの装置に対する相対位置で表される。好適な実施例においては、該位置情報の提示は、連絡先リスト中の人物の潜在的に関心のある集まり（及び従って行動）のような、他の情報を含む。該提示は、好適な実施例においては、連絡先の人物の装置により提供される位置情報及びユーザの装置の位置並びに該ユーザの装置の方位を利用して実現される。後者は、連絡先リスト中の人物に関する方向情報を表すために必要とされる。なぜなら、ユーザの装置の向きが変化した後には、ユーザの連絡先に対する方向も同様に変化するからである。
【０００７】
方位情報は、ユーザの画面に、該ユーザ及び連絡先の方向を描画するために利用される。
【０００８】
測位情報については、好適な実施例は、全地球測位システム（Global Positioning System、ＧＰＳ）及びＧＳＭセル測位メカニズムから成る群から選択された、少なくとも１つの良く知られたメカニズムを利用する。方位については、好適な実施例は、電子コンパスを利用する。これらは全て既製の技術として容易に利用可能な最先端のメカニズムであることは、当業者は理解するであろう。
【０００９】
いずれの装置の位置も、該装置がＧＰＳ又は他の測位手段を備える限り、得ることが可能である。
【発明を実施するための最良の形態】
【００１０】
以下の記載は説明の目的のために提供されるものであり、限定のためのものではないことは、当業者によって理解されるべきである。当業者は、本発明の範囲内であり且つ添付される請求項の範囲内である多くの変形が存在することを理解する。既知の機能及び動作の不必要な詳細は、本発明を不明瞭にしないようにするため本記載から省略され得る。
【００１１】
好適な実施例においては、図１に示されるように、ユーザの連絡先又は仲間のリスト１０５が、ユーザの装置１００の画面１０１の一方の面に表示され、画面の中央は実行させるアプリケーションのために利用される。互いに対する連絡先の相対位置は、すぐ近くにいる連絡先の名前の隣に同一の小さなアイコン（本例においては小さな円１０３）を含めることにより表される。
【００１２】
更に、図２に示されるように、ユーザは、ペン２０１を用いてカーソルの位置を合わせ、画面をクリック又はタップすることによって、連絡先を直接に選択することが可能である。このことは、ユーザの画面上の、連絡先情報及び付加的な選択肢（例えば該連絡先に直接に通話する選択肢）の表現２０１．１に帰着する。
【００１３】
また、図３に示すように、連絡先リスト中の人物の個人向け装置の、ユーザの装置からの相対距離もが、例えばインジケータサイズ３０１及び３０２を利用することにより表現されても良い（このことは、ユーザに対してより詳細な情報を提供する）。
【００１４】
最後に、図４の装置４００において示されるように、各連絡先がどのグループに属するかを、例えば色４０１及び４０２を利用することにより示すことも可能である。代替の実施例においては、図５の装置５００において示されるように、提示される連絡先がグループ５０１、５０２及び５０３によりフィルタリングされる。該フィルタは、例えば連絡先とグループ名とを（及びその逆を）連続してクリックすることによって、ユーザによって設定され、別のグループをユーザが選択することができるポップアップメニューに帰着する（図示されていない）。単にグループ名をクリックすることは、グループの全ての連絡先について、グループ名の変更を可能とする。
【００１５】
連絡先は全てのタイプの測位、グループ及び該連絡先に関連するその他のデータを持つための機能を持つが、該データは空であり得ることに留意されたい。例えば、固定電話装置を持つ連絡先は通常測位機能を持たず、従って該データは空であり、該連絡先が表示されたときにモバイル装置のディスプレイに現れない。しかしながら、固定電話装置が測位情報を提供することができる場合には、本発明は該情報を捕捉し、該情報を該連絡先に関連する永続メモリ６０６に保存し、該情報を本発明によって表示（１００乃至５００）することを意図されている。
【００１６】
ここで図６を参照すると、本発明による方法６００の好適な実施例についてのフロー図の例が示されている。ステップ６０１において、無線装置の連絡先リストにおける連絡先ｉに対する無線通話をユーザが正常に開始したときにはいつでも、本発明のステップ６０３が、永続メモリ６０６に保存された連絡先ｉについての位置データ６０３．１を更新するように実行される。次いでステップ６０４において、「最新の状態にする」動作が呼び出される。
【００１７】
前記通話が連絡先リストにない装置への通話である場合には、「最新の状態にする」動作のみが呼び出される（６０２）。
【００１８】
「最新の状態にする」動作は、ステップ６０４において、永続メモリ６０６に保存されたユーザの位置及び方位データ６０４．１を更新するように実行される。即ち、連絡先が、装置の連絡先リストにない場合又は自身の位置を提供していない場合にはいつでも、該動作は永続メモリ中のユーザ位置及び方位情報６０５．１を最新のものにし、次いで全ての永続メモリに現在保存されているものに基づいて全ての他の近接さやグループ等のデータ６０５．１を（ステップ６０５において）リフレッシュする。このことは、全ての保存されたデータを非常に迅速にリフレッシュし、永続メモリ６０６を更新するためのモジュール６０５の複雑さを低減させる。
【００１９】
或るセルから別のセルへと移動すること及び方位を変えることのうち一方を行っていても良いユーザが、該ユーザの動きを反映させるため永続メモリ６０６を更新する「最新の状態にする」動作を積極的に呼び出すことも可能である。
【００２０】
好適な実施例においては、永続メモリ６０６は、本発明により生じたユーザ及び連絡先データを保持するために備えられても良い。
【００２１】
代替の好適な実施例においては、保存されたデータのリフレッシュは選択的に、ユーザ及び連絡先の変化した位置及び方位の結果として変化する計算されたデータについてのみ実行される。
【００２２】
ここで図７を参照すると、ユーザのモバイル型電子装置（ＰＤＡ、携帯電話、ＭＰ３プレイヤ、Walkman（登録商標）型装置、ディジタル写真カメラ、ディジタルビデオカメラ、及びこれら装置の任意の組み合わせ）の連絡先又は仲間リストに関する、図６において示された方法を実行するための装置７００が示されている。装置７００は、ユーザ及び連絡先データ（位置データ６０３．１及び６０４．１並びに方位データ６０４．１を含むが、これに限定されるものではない）を保存するための永続メモリ６０６と、複数のモジュールを制御及び実行するためのプロセッサ７０１とを有する。該複数のモジュールは、
（１）ユーザ及び連絡先についての方位及び速度を受信し、該方位及び速度から各連絡先に対するユーザの方位及びユーザに対する各連絡先の方位を計算し、ユーザ及び各連絡先の計算された方位データ６０４．１を各ユーザ／連絡先対の相対位置及び距離と共に永続メモリ６０６に保存する、方位計算モジュール７０１．１と、
（２）ユーザ及び連絡先装置の一方についての位置データを受信し、該データから位置を計算し、計算された位置データ６０３．１及び６０４．１を仲間リスト中の位置データが保存されたユーザ及び連絡先に関するものと適切に特定された永続メモリ６０６に保存する、位置計算モジュール７０１．２と、
（３）永続メモリ６０６からユーザ及び連絡先の位置データを受信し、各連絡先に対するユーザの近さ、各連絡先のグループのメンバ、各他の連絡先に対する連絡先の近さ、及び連絡先がどのくらい速く及びどの方向に移動しているかを有する属性データを計算し、計算された属性データ６０５．１を永続メモリ６０６に保存する、属性計算モジュールと、
を含む。
【００２３】
好適な実施例においては、ユーザの方位は電子コンパス７０２によって取得され、方位計算モジュール７０１．１に入力される。
【００２４】
好適な実施例においては、位置データは、ＧＳＭ及びＧＰＳ技術７０３を利用して、ユーザ装置及び連絡先の装置により供給される。
【００２５】
好適な実施例においては、各連絡先についての及びユーザについてのグループのメンバのような属性データをユーザが入力し、該入力された属性データは、仲間リスト中の属性データが保存されたユーザ及び連絡先に関するものと適切に特定された永続メモリ６０６に保存される。
【００２６】
ここで図８を参照すると、図７の装置７００を組み込んだシステム８００の好適な実施例が示されている。システム８００は、連絡先情報やグループ定義データのようなユーザ入力を捕捉し、ユーザの動作を受容し、装置７００の適切なモジュールを実行させて、ユーザデータ及び動作を処理し、更には特定のユーザ装置に特有な他の処理を実行する、ユーザ入力処理モジュール７０１．４を有する。本システムは更に、ユーザの装置の画面における表示のために本発明の表示コンポーネントを生成する、表示コンポーネント生成モジュール７０１．５を有する。これらの表示コンポーネントは、連絡先の方位、互いに対する及びユーザ装置に対する近さ及び速度を表すアイコン（例えばアイコンのサイズ又はアイコンの色）、並びにユーザ装置の画面上のアイコンの配置による連絡先のグルーピングを含む（図４のアイテム４０２を参照されたい）。
【００２７】
方位情報は、ユーザ画面に連絡先の方向を正確に描画するために利用される。連絡先の絶対位置は、測位情報（例えばＧＰＳ若しくはＧＳＭセル測位又は各装置によって供給されるその他の測位データ）によって既知であり、これら連絡先の位置の方位は実際には、ユーザの装置の方位（例えば電子コンパスを利用することにより得られる）に対する相対位置である。連絡先及びユーザの絶対位置をユーザの装置の方位と組み合わせることにより、連絡先の（ユーザに対する）方位を得ることが可能である。例えば、連絡先が座標（０，４０）に位置しており、ユーザが（０，０）に位置しているとする。連絡先は、ユーザの北４０マイルにいる。ここで、ユーザが装置を持って北を向いている場合には、該連絡先は画面の上部に描画される。ユーザが西を向いている場合には、該連絡先は画面の右側に描画される。ユーザが東を向いている場合には、該連絡先は画面の左側に描画される。ユーザが南を向いている場合には、該連絡先は画面の下部に描画される。
【００２８】
本発明のシステム８００、装置７００及び方法６００は、携帯電話、ＰＤＡ（personal digital assistants）、ＭＰ３プレイヤ、Walkman（登録商標）、ディジタル写真カメラ、ディジタルビデオカメラ及び以上の装置の任意の組み合わせを含む（これらに限定されるものではない）いずれかの携帯型装置を持つユーザ及び連絡先の一方又は双方に対して、並びにパーソナルコンピュータ（ＰＣ）、テレビジョン（ＴＶ）及び固定電話を含む（これに限定されるものではない）いずれかの固定装置を持つユーザ及び連絡先の一方又は双方に対して、適用可能である。
【００２９】
本発明の好適な実施例が説明された記載されたが、ここで説明されたシステム、装置及び方法は例示的なものであり、本発明の真の範囲から逸脱することなく、種々の変更及び修正が為され、構成要素の代わりに同等物が代用され得ることは、当業者により理解されるであろう。加えて、本発明の中心範囲から逸脱することなく、本発明の教示を特定の測位メカニズム（固定線の連絡先の電話の位置を提供する旧型電話システム（ＰＯＴＳ）のような）に適合させるために、多くの変更が為され得る。それ故本発明は、本発明を実施するために考えられる最良の形態として開示された実施例に限定されるものではなく、本発明は添付される請求の範囲内となる全ての実施例を含むことが意図されている。
【図面の簡単な説明】
【００３０】
【図１】ディスプレイの端に沿って連絡先を表示するユーザのハンドヘルド型ディスプレイ装置を示す。
【図２】ユーザによる連絡先の選択に応じて表示された更なる選択肢及び連絡先情報を示す。
【図３】ユーザのハンドヘルド型装置からの連絡先の距離のグラフィカルな表現を示す。
【図４】連絡先グループのメンバのグラフィカルな表現を示す。
【図５】各グループについて別個の画面表示を持つ、グループのメンバの代替の視覚的表現を示す。
【図６】最新の連絡先及びユーザの位置を保持及び表示し、互いに近くにいる連絡先を特定し、ユーザに対する連絡先の近さを示すための、本発明による方法の機能フロー図を示す。
【図７】連絡先リストを各連絡先の位置と関連付けるための本発明による装置を示す。
【図８】本発明によるシステムを示す。
【図１】
2009517762.tif 000003
【図２】
2009517762.tif 000004
【図３】
2009517762.tif 000005
【図４】
2009517762.tif 000006
【図５】
2009517762.tif 000007
【図６】
2009517762.tif 000008
【図７】
2009517762.tif 000009
【図８】
2009517762.tif 000010
【国際調査報告】
2009517762.tif 000011
2009517762.tif 000012
2009517762.tif 000013